(57)【要約】【課題】複数のコンタクトから離脱する方向へのアクチュエータの変位を防止できる機構を、構成部品点数の増加等をまねくことなく構成することができるものとする。【解決手段】絶縁ハウジング（１１）に軸状部（２２）を有するアクチュエータ（２０）に対する案内部が設けられるとともに、アクチュエータ（２０）に案内部に当接する位置決め部が設けられ、絶縁ハウジング（１１）に対する係合凹部（１８）が設けられた複数のコンタクト（１３）とアクチュエータ（２０）との組付け時に、アクチュエータ（２０）が、位置決め部を案内部に当接させ、軸状部（２２）を係合凹部（１８）に係合させない第１の位置をとるもとで、絶縁ハウジング（１１）に挿入装着される複数のコンタクト（１３）が、アクチュエータ（２０）を、第１の位置から案内部に沿って移動させて、軸状部（２２）を係合凹部（１８）に係合させる第２の位置をとるものとなす。【選択図】図１０
2009064743.tif 000002
【特許請求の範囲】
【請求項１】
配線板部材の差込みがなされる絶縁ハウジングと、
上記絶縁ハウジングに配列配置されて、該絶縁ハウジングへの差込みがなされた配線板部材に設けられた複数の接続端子部に夫々対応する位置をとるものとされ、各々に係合凹部が設けられた複数のコンタクトと、
上記係合凹部に係合する状態をとる軸状部を有して、上記複数のコンタクトの夫々に対して回動可能に設けられ、上記配線板部材の上記絶縁ハウジングへの差込みがなされたもとで、第１の静止状態から回動して第２の静止状態に移行するとき、上記複数のコンタクトの夫々に上記複数の接続端子部のうちの対応するものに対する押圧接触状態をとらせるアクチュエータと、
を備えて成り、
上記絶縁ハウジングが、上記複数のコンタクトの配列方向における両端部に上記アクチュエータに対する案内部が設けられたものとされるとともに、上記アクチュエータが、上記絶縁ハウジングの両端部に夫々対応する位置をとる両端縁部に、上記案内部に当接する位置決め部が設けられたものとされ、上記絶縁ハウジングに対する上記複数のコンタクト及び上記アクチュエータの組付け時に、上記アクチュエータが、上記絶縁ハウジングに対して、上記位置決め部を上記案内部に当接させ、上記軸状部を上記係合凹部に係合させない第１の位置をとるもとで、上記絶縁ハウジングに挿入装着される上記複数のコンタクトが、上記アクチュエータを、上記第１の位置から移動させて、上記位置決め部を上記案内部に当接させるとともに上記軸状部を上記係合凹部に係合させる第２の位置をとるものとなすこと、を特徴とするコネクタ装置。
【請求項２】
上記組付け時に、上記絶縁ハウジングに挿入装着される上記複数のコンタクトにおける上記係合凹部を形成する部分が、上記係合凹部に係合していない上記軸状部に当接して押圧することにより、上記アクチュエータを上記第１の位置から移動させて上記第２の位置をとるものとなすことを特徴とする請求項１記載のコネクタ装置。
【請求項３】
上記案内部が複数段の階段状部を成すものとされ、上記アクチュエータが上記第１の位置をとるとき、上記位置決め部が上記階段状部における第１の段に当接し、上記アクチュエータが上記第２の位置をとるとき、上記位置決め部が上記階段状部における第２の段に当接すること、を特徴とする請求項１記載のコネクタ装置。
【請求項４】
上記案内部が１段目，２段目及び３段目を備えた階段状部を成し、上記位置決め部が第１及び第２の当接部を備えるものとされ、上記アクチュエータが上記第１の位置をとるとき、上記第１の当接部が上記１段目に当接するとともに上記第２の当接部が上記２段目に当接し、上記アクチュエータが上記第２の位置をとるとき、上記第１の当接部が上記２段目に当接するとともに上記第２の当接部が上記３段目に当接することを特徴とする請求項３記載のコネクタ装置。
【請求項５】
上記アクチュエータが、上記複数のコンタクトの夫々に対する回動を、上記軸状部が上記係合凹部に係合したもとで行うことを特徴とする請求項１記載のコネクタ装置。
【発明の詳細な説明】
【技術分野】
【０００１】
本願の特許請求の範囲に記載された発明は、フレキシブル印刷配線基板（ＦＰＣ）等の配線板部材に設けられた接続端子部を、他の電気部品である配線基板の配線部に電気的に接続された状態とするためのコネクタ装置に関する。
【背景技術】
【０００２】
カメラ付携帯電話機等の電子機器に実装される、比較的小型なフレキシブル印刷配線基板は、各種の電気部品が取り付けられる主印刷配線基板への取付けが、当該主印刷配線基板に電気的接続がなされて固着されたコネクタ装置が用いられて行われるものとされることが多い。斯かるコネクタ装置は、フレキシブル印刷配線基板に設けられた接続端子部に接触する導電性のコンタクトを有していて、そのコンタクトを介して、フレキシブル印刷配線基板に設けられた接続端子部を主印刷配線基板の印刷配線部に電気的に接続する。
【０００３】
従来提案されているフレキシブル印刷配線基板の主印刷配線基板への取付けに用いられるコネクタ装置は、例えば、フレキシブル印刷配線基板の差込みがなされる絶縁ハウジングを有したものとされる。そして、その絶縁ハウジングに配列配置されて設けられ、フレキシブル印刷配線基板の絶縁ハウジングへの差込みがなされるとき、そのフレキシブル印刷配線基板に設けられた複数の接続端子部に夫々対応するものとなる複数のコンタクトと、複数のコンタクトに対して回動可能とされ、複数のコンタクトの夫々に係合して回動せしめられるとき、複数のコンタクトの夫々における作動部を変位させる、複数のコンタクトに共通のアクチュエータと、複数のコンタクトの配列方向における絶縁ハウジングの両端部に配され、複数のコンタクトの配列方向におけるアクチュエータの両端部に夫々係合して、アクチュエータの位置決めを行う一対の支持部材とが備えられる。
【０００４】
複数のコンタクトの各々は、導電性の弾性材料で形成され、絶縁ハウジングに固定される部分である固定部と可動部分とを有するものされる。固定部は、主印刷配線基板に設けられた印刷配線部に電気的に接続され、一方、可動部分は、複数のコンタクトに対して回動可能とされたアクチュエータによって変位せしめられる作動部を構成する。また、一対の支持部材の夫々は、アクチュエータの端部に対する当接段部が形成されたものとされる。
【０００５】
そして、フレキシブル印刷配線基板の絶縁ハウジングへの差込みがなされたもとで、アクチュエータが所定の方向に回動せしめられると、そのアクチュエータが、複数のコンタクトの夫々における作動部を変位させて、当該作動部にフレキシブル印刷配線基板に設けられた複数の接続端子部のうちの対応するものに対する押圧接触状態をとらせる。また、複数のコンタクトの各々における作動部がフレキシブル印刷配線基板に設けられた複数の接続端子部に夫々押圧接触する状態をとるもとで、アクチュエータが上述の所定の方向とは逆の方向に回動せしめられると、アクチュエータが、複数のコンタクトの夫々における作動部を変位させて、当該作動部をフレキシブル印刷配線基板に設けられた複数の接続端子部のうちの対応するものに対する押圧接触状態から解放する（例えば、特許文献１参照。）。
【０００６】
このような従来提案されているコネクタ装置にあっては、アクチュエータに軸部が設けられるとともに、複数のコンタクトの夫々にアクチュエータの軸部に係合する状態をとる係合凹部が設けられる。そして、絶縁ハウジングに複数のコンタクトとアクチュエータと一対の支持部材が組み付けられるにあたっては、絶縁ハウジングに複数のコンタクトが配列配置される状態をもって組み付けられて固定され、かつ、アクチュエータが、絶縁ハウジングに、その軸部と複数のコンタクトの夫々に設けられた係合凹部とが相互対向することになる状態をもって配置された後に、複数のコンタクトの配列方向における絶縁ハウジングの両端部に、一対の支持部材が挿入されて固定される。
【０００７】
その際、複数のコンタクトの配列方向における絶縁ハウジングの両端部に一対の支持部材が挿入されるとき、一対の支持部材の夫々に形成された当接段部が、絶縁ハウジングに配置されたアクチュエータの端部に当接して、アクチュエータをその軸部がそれに対向する複数のコンタクトの夫々に設けられた係合凹部に向かって移動するように変位させ、それにより軸部が係合凹部に係合する状態をとらせる。即ち、絶縁ハウジングの両端部に挿入固定された一対の支持部材は、アクチュエータを、その軸部が複数のコンタクトの夫々に設けられた係合凹部に係合する状態をとらせて位置決めするのである。その結果、アクチエータは、その軸部を複数のコンタクトの夫々に設けられた係合凹部に係合させたもとで、複数のコンタクトに対して回動せしめられるものとされ、それによって、複数のコンタクトから離脱する方向への変位が防止される。
【０００８】
【特許文献１】特開２００３−１５１６６０号公報（第３〜５頁、図１，５〜９）
【発明の開示】
【発明が解決しようとする課題】
【０００９】
上述のように、絶縁ハウジングの両端部に挿入固定される、各々にアクチュエータの端部に当接する当接段部が形成された一対の支持部材により、アクチュエータが、それに設けられた軸部が複数のコンタクトの夫々に設けられた係合凹部に係合する状態をとるもとで位置決めされ、それにより、その軸部を複数のコンタクトの夫々に設けられた係合凹部に係合させたもとで、複数のコンタクトに対して回動せしめられるものとされて、複数のコンタクトから離脱する方向へのアクチュエータの変位が防止される、従来提案されているコネクタ装置にあっては、次のような構成上，組立作業上及びコスト面での問題がある。
【００１０】
即ち、上述のような従来提案されているコネクタ装置にあっては、各々にアクチュエータの端部に当接する当接段部が形成された一対の支持部材が、絶縁ハウジングの両端部に挿入固定されるものとして備えられることが必要とされ、そのことが、構成部品点数の増加をまねくとともに、絶縁ハウジングの寸法の拡大、従って、コネクタ装置の大型化をまねくことになる。また、組立作業において、絶縁ハウジングに複数のコンタクトを固定し、かつ、アクチュエータを絶縁ハウジングに配置した後に、絶縁ハウジングの両端部に一対の支持部材を挿入して固定するという作業が必要とされ、作業工程の増加がまねかれる。さらに、このような、構成部品点数の増加、絶縁ハウジングの寸法の拡大によるコネクタ装置の大型化、さらには、組立作業における作業工程の増加が、コネクタ装置のコストの上昇に繋がるという不都合を生じる。
【００１１】
斯かる点に鑑み、本願の特許請求の範囲に記載された発明は、絶縁ハウジングに複数のコンタクトが配列配置されて設けられるとともに、複数のコンタクトに対して回動可能とされたアクチュエータが設けられ、配線板部材の絶縁ハウジングへの差込みがなされたもとで、アクチュエータを回動させることにより、複数のコンタクトの夫々に、配線板部材に設けられた複数の接続端子部のうちの対応するものに対する押圧接触状態をとらせるコネクタ装置であって、アクチュエータが複数のコンタクトに係合したもとで複数のコンタクトに対して回動せしめられ、それにより、複数のコンタクトから離脱する方向へのアクチュエータの変位が防止されることになる機構を、構成部品点数の増加，絶縁ハウジングの寸法の拡大によるコネクタ装置の大型化，組立作業における作業工程の増加等をまねくことなく構成することができるものを提供する。
【課題を解決するための手段】
【００１２】
本願の特許請求の範囲における請求項１から請求項５までのいずれかに記載された発明（以下、本発明という。）に係るコネクタ装置は、配線板部材の差込みがなされる絶縁ハウジングと、絶縁ハウジングに配列配置されて、絶縁ハウジングへの差込みがなされた配線板部材に設けられた複数の接続端子部に夫々対応する位置をとるものとされ、各々に係合凹部が設けられた複数のコンタクトと、複数のコンタクトに設けられた係合凹部に係合する状態をとる軸状部を有して、複数のコンタクトの夫々に対して回動可能に設けられ、配線板部材の絶縁ハウジングへの差込みがなされたもとで、第１の静止状態から回動して第２の静止状態に移行するとき、複数のコンタクトの夫々に配線板部材に設けられた複数の接続端子部のうちの対応するものに対する押圧接触状態をとらせるアクチュエータと、を備えて成り、絶縁ハウジングが、複数のコンタクトの配列方向における両端部にアクチュエータに対する案内部が設けられたものとされるとともに、アクチュエータが、絶縁ハウジングの両端部に夫々対応する位置をとる両端縁部に、絶縁ハウジングに設けられた案内部に当接する位置決め部が設けられたものとされ、絶縁ハウジングに対する複数のコンタクト及びアクチュエータの組付け時に、アクチュエータが、絶縁ハウジングに対して、上述の位置決め部を上述の案内部に当接させ、上述の軸状部を上述の係合凹部に係合させない第１の位置をとるもとで、絶縁ハウジングに挿入装着される複数のコンタクトが、アクチュエータを、第１の位置から移動させて、上述の位置決め部を上述の案内部に当接させるとともに上述の軸状部を上述の係合凹部に係合させる第２の位置をとるものとなす。
【００１３】
特に、本願の特許請求の範囲における請求項３に記載された本発明に係るコネクタ装置は、絶縁ハウジングに設けられた案内部が複数段の階段状部を成すものとされ、アクチュエータが第１の位置をとるとき、アクチュエータに設けられた位置決め部が上述の階段状部における第１の段に当接し、アクチュエータが第２の位置をとるとき、アクチュエータに設けられた位置決め部が上述の階段状部における第２の段に当接するものとされる。
【００１４】
上述のように構成される本発明に係るコネクタ装置にあっては、絶縁ハウジングに複数のコンタクトが配列配置されて設けられるとともに、複数のコンタクトに対して回動可能とされたアクチュエータが設けられ、配線板部材の絶縁ハウジングへの差込みがなされたもとで、アクチュエータを回動させることにより、複数のコンタクトの夫々に、配線板部材に設けられた複数の接続端子部のうちの対応するものに対する押圧接触状態をとらせる。そして、絶縁ハウジングに対する複数のコンタクト及びアクチュエータの組付け時に、アクチュエータに設けられた位置決め部を絶縁ハウジングに設けられた案内部に当接させて、アクチュエータの軸状部を複数のコンタクトに設けられた係合凹部に係合させない第１の位置をとるアクチュエータが、絶縁ハウジングに挿入装着される複数のコンタクトによって、第１の位置から移動せしめられて、アクチュエータに設けられた位置決め部を絶縁ハウジングに設けられた案内部に当接させるとともにアクチュエータの軸状部を複数のコンタクトに設けられた係合凹部に係合させる第２の位置をとるものとされる。このようにして、アクチュエータが第２の位置をとるものとされることにより、アクチュエータが複数のコンタクトに係合したもとで複数のコンタクトに対して回動せしめられ、それにより、複数のコンタクトから離脱する方向へのアクチュエータの変位が防止されることになる機構が構成される。
【００１５】
また、本願の特許請求の範囲における請求項３に記載された本発明に係るコネクタ装置にあっては、絶縁ハウジングに設けられた案内部が複数段の階段状部を成すものとされる。そして、アクチュエータが第１の位置をとるとき、アクチュエータに設けられた位置決め部が絶縁ハウジングに設けられた案内部が成す複数の階段状部における第１の段に当接し、アクチュエータが第２の位置をとるとき、アクチュエータに設けられた位置決め部が絶縁ハウジングに設けられた案内部が成す複数の階段状部における第２の段に当接するものとされる。
【発明の効果】
【００１６】
上述の本発明に係るコネクタ装置においては、絶縁ハウジングに対する複数のコンタクト及びアクチュエータの組付け時に、アクチュエータに設けられた位置決め部を絶縁ハウジングに設けられた案内部に当接させて、アクチュエータの軸状部を複数のコンタクトに設けられた係合凹部に係合させない第１の位置をとるアクチュエータが、絶縁ハウジングに挿入装着される複数のコンタクトによって、第１の位置から移動せしめられて、アクチュエータに設けられた位置決め部を絶縁ハウジングに設けられた案内部に当接させるとともにアクチュエータの軸状部を複数のコンタクトに設けられた係合凹部に係合させる第２の位置をとるものとされることにより、従って、絶縁ハウジングに対して、複数のコンタクト及びアクチュエータ以外の部材を組み付けることを要することなく、アクチュエータが複数のコンタクトに係合したもとで複数のコンタクトに対して回動せしめられ、それにより、複数のコンタクトから離脱する方向へのアクチュエータの変位が防止されることになる機構が構成される。
【００１７】
その結果、本発明に係るコネクタ装置によれば、アクチュエータが複数のコンタクトに係合したもとで複数のコンタクトに対して回動せしめられ、それにより、複数のコンタクトから離脱する方向へのアクチュエータの変位が防止されることになる機構を、構成部品点数の増加，絶縁ハウジングの寸法の拡大によるコネクタ装置の大型化，組立作業における作業工程の増加等をまねくことなく構成することができることになる。
【００１８】
特に、本願の特許請求の範囲における請求項３に記載された本発明に係るコネクタ装置によれば、絶縁ハウジングに設けられた案内部が複数段の階段状部を成すものとされ、アクチュエータが第１の位置をとるとき、アクチュエータに設けられた位置決め部が絶縁ハウジングに設けられた案内部が成す複数の階段状部における第１の段に当接し、アクチュエータが第２の位置をとるとき、アクチュエータに設けられた位置決め部が絶縁ハウジングに設けられた案内部が成す複数の階段状部における第２の段に当接するものとされることにより、アクチュエータの第１の位置から第２の位置への移動が円滑かつ確実に行われるとともに、第１の位置及び第２の位置の夫々をとるアクチュエータが、極めて安定した状態におかれることになる。
【発明を実施するための最良の形態】
【００１９】
本発明を実施するための最良の形態は、以下に述べられる本発明についての実施例をもって説明される。
【００２０】
図１は、本発明に係るコネクタ装置の一例を示す。
【００２１】
図１において、本発明に係るコネクタ装置の一例を成すコネクタ装置１０は、合成樹脂等の絶縁材料によって形成された絶縁ハウジング１１を備えており、絶縁ハウジング１１には、例えば、フレキシブル印刷配線基板の部分が配線板部材として差し込まれる配線板部材差込部１２が設けられて、例えば、図示が省略されている主基板に取り付けられるものとされる。即ち、絶縁ハウジング１１は、例えば、主基板に取り付けられたもとで、フレキシブル印刷配線基板の部分とされる配線板部材の差込みがなされるものとされているのである。
【００２２】
配線板部材差込部１２を通じた絶縁ハウジング１１への差込みがなされる配線基部材（図示が省略されている）には、例えば、各々が短冊形を成すものとされた導電性材料で成る複数の接続端子部が、配列配置されて設けられる。複数の接続端子部の夫々は、例えば、配線板部材とされる部分を有したフレキシブル印刷配線基板に設けられた印刷配線部に連結されている。
【００２３】
コネクタ装置１０の絶縁ハウジング１１には、複数のコンタクト１３が、配列配置されて設けられるように組み付けられている。複数のコンタクト１３は、各々が、絶縁ハウジング１１に対する配線板部材の差込み及び抜出し方向に沿う方向に伸びるものとされ、配線板部材の配線板部材差込部１２を通じた絶縁ハウジング１１への差込みがなされるとき、差込みがなされた配線板部材に配列配置された複数の接続端子部に夫々対応する位置をとるものとされる。
【００２４】
複数のコンタクト１３の夫々は、図１に示される例についての複数のコンタクト１３の配列方向（以下、コンタクト配列方向という。）における両端の間の部分の断面をあらわす図２に示されるように、弾性を有した導電性材料で形成された板状部材とされている。そして、斯かるコンタクト１３は、絶縁ハウジング１１に固定される固定部１４と固定部１４から伸びる一対のビーム部１５及び１６とを有している。一対のビーム部１５及び１６のうち、ビーム部１５が、固定されて後述されるアクチュエータと係合する固定係合部とされ、ビーム部１６が、変位可能な作動部とされている。
【００２５】
そして、固定部１４には、端子部１７が設けられており、端子部１７は、絶縁ハウジング１１の外部へと伸びて、例えば、コネクタ装置１０が固着された、図示が省略されている主基板に設けられた印刷配線部に接続される。また、固定係合部を成すビーム部１５には、アクチュエータと係合するための係合凹部１８が設けられている。さらに、作動部を成すビーム部１６には、絶縁ハウジング１１への差込みがなされた配線板部材に配された接続端子部に弾力を作用させて当接する接触部１９が設けられている。
【００２６】
このようなもとで、配線板部材の配線板部材差込部１２を通じた絶縁ハウジング１１への差込みがなされるときには、複数の接続端子部が配列配置された配線板部材の部分が、絶縁ハウジング１１に配列配置された複数のコンタクト１３の夫々におけるビーム部１５とビーム部１６との間に配される。その際、複数のコンタクト１３の夫々は、そのビーム部１５及びビーム部１６を、配線板部材の部分に設けられた複数の接続端子部のいずれかに対応させる。
【００２７】
また、図１に示される例においては、絶縁ハウジング１１に、図３に単独で示されるアクチュエータ２０が、複数のコンタクト１３に対して回動可能とされて組み付けられている。アクチュエータ２０は、コンタクト配列方向に伸びる細長い板状体を成すものとされており、図１〜図３に示されるように、絶縁ハウジング１１に配列配置されて設けられた複数のコンタクト１３に夫々対応する位置に、複数のスリット２１が配列配置されて形成されている。複数のスリット２１の夫々の内部には、図２に示されるように、軸状部２２が設けられている。
【００２８】
アクチュエータ２０における複数のスリット２１の夫々の内部に設けられた軸状部２２は、図２に示されるように、複数のコンタクト１３の夫々に設けられた係合凹部１８に係合する状態をとる。そして、アクチュエータ２０は、複数の軸状部２２が複数の係合凹部１８に夫々係合したもとで、複数のコンタクト１３の夫々に対する回動を、複数の軸状部２２を回動中心軸として行うものとされ、それにより、複数のコンタクト１３から離脱する方向へのアクチュエータ２０の変位が防止される。
【００２９】
複数の軸状部２２が複数の係合凹部１８に夫々係合する状態は、複数のコンタクト１３の全てについて、アクチュエータ２０に設けられた軸状部２２が係合凹部１８に係合する態様がとられる状態に限られることなく、例えば、複数のコンタクト１３のうちの一つ置きのもの、あるいは、複数個置きのものについて、アクチュエータ２０に設けられた軸状部２２が係合凹部１８に係合する態様がとられる状態とされてもよい。
【００３０】
また、アクチュエータ２０には、コンタクト配列方向における両端縁部の各々に、絶縁ハウジング１１に対するアクチュエータ２０の位置決めを行う位置決め部を構成する当接部２３，２４及び２５が設けられている。この位置決め部を構成する当接部２３，２４及び２５は、図３，図１における仮想線円ＩＶ内を拡大して示す図４、及び、図１に示される例についてのコンタクト配列方向における端部の断面をあらわす図５において明瞭に示されるように、当接部２３が、アクチュエータ２０の端縁部において、複数のスリット２１がコンタクト配列方向に配列配置されて形成された部分から外方に向かって伸びる軸状を成すものとされ、当接部２４及び当接部２５が、互いに異なる位置をとる当接面を形成するものとされて、夫々が互いに異なる当接位置を有するものとして形成されている。
【００３１】
一方、図１及び図５に示されるように、絶縁ハウジング１１におけるコンタクト配列方向における両端部の各々には、アクチュエータ２０に対する複数段の階段状部を成す案内部を構成する段部２７，２８及び２９が設けられている。（図１にあっては、絶縁ハウジング１１の両端部の一方において、段部２９のみが現れており、また、絶縁ハウジング１１の両端部の他方において、段部２７がアクチュエータ２０に設けられた当接部２３の陰に隠れている。）絶縁ハウジング１１におけるコンタクト配列方向における両端部は、それらに対して、アクチュエータ２０におけるコンタクト配列方向における両端縁部が夫々対応する位置をとるものとされている。そして、この複数段の階段状部を成す案内部を構成する段部２７，２８及び２９は、図５及び図１における仮想線円ＶＩ内を拡大して示す図６において明瞭に示されるように、全体で三段の階段状部を形成しており、三段のうちの１段目を段部２７が、三段のうちの２段目を段部２８が、そして、三段のうちの３段目を段部２９が、夫々形成している。
【００３２】
アクチュエータ２０が、図１，図２及び図４〜図６の夫々に示される位置（以下、絶縁ハウジングに対して立ち上がった位置という。）をとる状態（第１の静止状態）にあるときには、図５に示されるように、アクチュエータ２０におけるコンタクト配列方向における両端縁部の夫々に設けられた当接部２３の側面部分が、絶縁ハウジング１１におけるコンタクト配列方向における両端部の各々に設けられた段部２８に当接するものとされる。それにより、アクチュエータ２０の絶縁ハウジングに対して立ち上がった位置が安定に維持される。
【００３３】
配線板部材の絶縁ハウジング１１への差込みは、アクチュエータ２０が、絶縁ハウジングに対して立ち上がった位置をとる第１の静止状態にあるもとで行われる。そして、配線板部材の絶縁ハウジング１１への差込みが行われた後に、アクチュエータ２０が、第１の静止状態から回動せしめられて、図７（斜視図）及び図８（平面図）に示される位置（以下、絶縁ハウジングに対して伏した位置という。）をとる状態（第２の静止状態）に移行するものとされる。なお、図７及び図８においては、配線板部材の図示が省略されている。
【００３４】
配線板部材の絶縁ハウジング１１への差込みが行われて、アクチュエータ２０が、第１の静止状態から回動せしめられ、絶縁ハウジングに対して伏した位置をとる第２の静止状態に移行するものとされると、絶縁ハウジングに対して伏した位置をとるアクチュエータ２０が、絶縁ハウジング１１への差込みが行われた配線板部材を、複数のコンタクト１３の夫々における作動部を成すビーム部１６側へと押圧する。それにより、アクチュエータ２０は、複数のコンタクト１３の夫々における作動部を成すビーム部１６に設けられた接触部１９に、複数のコンタクト１３の夫々における固定係合部を成すビーム部１５と作動部を成すビーム部１６とにより挟まれた配線板部材の部分に配された複数の接続端子部に対しての、弾力を作用させるもとでの押圧接触状態をとらせる。その結果、配線板部材の部分に配された複数の接続端子部が、複数のコンタクト１３を通じて、複数のコンタクト１３の夫々に設けられた端子部１７が接続される、図示が省略されている主基板に設けられた印刷配線部に電気的に連結されることになる。
【００３５】
上述のような本発明に係るコネクタ装置の一例は、絶縁ハウジング１１に対する複数のコンタクト１３及びアクチュエータ２０の組付けが行われて、絶縁ハウジング１１に複数のコンタクト１３が配列配置されて設けられ、アクチュエータ２０が、図２に示されるように、それに設けられた複数の軸状部２２が複数のコンタクト１３に設けられた係合凹部１８に係合した状態におかれたもとで、複数のコンタクト１３に対して回動可能に設けられたものとされる。
【００３６】
斯かる絶縁ハウジング１１に対する複数のコンタクト１３及びアクチュエータ２０の組付けが行われる際には、先ず、図９に示されるように、絶縁ハウジング１１に、アクチュエータ２０が、その両端縁部の夫々に設けられた位置決め部を構成する当接部２３，２４及び２５が、アクチュエータ２０の両端縁部が夫々対応するものとされる、絶縁ハウジング１１の両端部の夫々に設けられた案内部を構成する段部２７，２８及び２９に当接する状態をもって、絶縁ハウジング１１に対して伏した位置をとる状態におかれるものとして配される。斯かる際には、当接部２３が段部２７に当接し、当接部２４が段部２８に当接し、当接部２５が段部２９に当接するものとされる。
【００３７】
アクチュエータ２０が、図９に示される状態におかれたもとにおいては、アクチュエータ２０に設けられた複数の軸状部２２の夫々は、複数のコンタクト１３の夫々に設けられた係合凹部１８に係合することがない位置に配される。即ち、アクチュエータ２０が絶縁ハウジング１１に対して、当接部２３が段部２７に当接し、当接部２４が段部２８に当接し、当接部２５が段部２９に当接するものとされて配されるもとにあっては、アクチュエータ２０に設けられた複数の軸状部２２の夫々は、複数のコンタクト１３の夫々に設けられた係合凹部１８に係合することがないのである。
【００３８】
次に、このようなもとで、絶縁ハウジング１１に、図９及び図１０に示されるように、アクチュエータ２０が配された側とは反対側から、複数のコンタクト１３の夫々が、矢印Ｘの方向に移動せしめられて、挿入装着される。斯かる複数のコンタクト１３の挿入装着が行われるとき、図１０に示されるように、複数のコンタクト１３の夫々における係合凹部１８を形成する部分１８ａが、アクチュエータ２０に設けられた複数の軸状部２２のうちの対応するものに当接して押圧し、その軸状部２２を矢印Ｘの方向に移動させる。そして、複数のコンタクト１３の夫々は、係合凹部１８を形成する部分１８ａに軸状部２２に当接して押圧する状態をとらせたまま、矢印Ｘの方向に挿入されて、図１１及び図１２に示される予め定められた位置に到達したとき、挿入装着が終了される。
【００３９】
複数のコンタクト１３の夫々における係合凹部１８を形成する部分１８ａが、アクチュエータ２０に設けられた複数の軸状部２２のうちの対応するものに当接して押圧し、その軸状部２２を矢印Ｘの方向に移動させるときには、アクチュエータ２０の全体が、図９〜図１２の夫々に示される矢印Ｘの方向へ移動せしめられる。斯かる際におけるアクチュエータ２０の矢印Ｘの方向へ移動に伴い、段部２７，２８及び２９が設けられた絶縁ハウジング１１に対して、アクチュエータ２０に設けられた当接部２３が、段部２７に当接する状態から、段部２７と段部２８との間の斜面部を乗り越えて、段部２８に当接する状態に移行し、また、アクチュエータ２０に設けられた当接部２４が、段部２８に当接する状態から、段部２８と段部２９との間の斜面部を乗り越えて、段部２９に当接する状態に移行し、さらに、アクチュエータ２０に設けられた当接部２５が、段部２９に当接する状態から、段部２９に当接しない状態に移行し、それに伴って、アクチュエータ２０に設けられた複数の軸状部２２の夫々も複数のコンタクト１３の夫々における係合凹部１８に向かって移動せしめられる。そして、複数のコンタクト１３の夫々の挿入装着が終了されたときには、図１１に示されるように、アクチュエータ２０は、それに設けられた当接部２３，２４及び２５と絶縁ハウジング１１に設けられた段部２７，２８及び２９とが、当接部２３が段部２８に当接し、当接部２４が段部２９に当接し、当接部２５が何処にも当接しない状態におかれることになる位置におかれる。
【００４０】
このようにして、アクチュエータ２０が、当接部２３が段部２８に当接し、当接部２４が段部２９に当接し、当接部２５が何処にも当接しない状態におかれることになる位置におかれるときには、図１２に示されるように、アクチュエータ２０に設けられた複数の軸状部２２の夫々は、複数のコンタクト１３の夫々に設けられた係合凹部１８に係合することになる位置に移動せしめられている。即ち、アクチュエータ２０は、それに設けられた複数の軸状部２２の夫々を複数のコンタクト１３の夫々に設けられた係合凹部１８に係合させるものとされて、絶縁ハウジングに対して伏した位置をとる状態におかれるのである。
【００４１】
上述のようにして、絶縁ハウジング１１に対する複数のコンタクト１３及びアクチュエータ２０の組付時に、絶縁ハウジング１１に、複数の軸状部２２の夫々を複数のコンタクト１３の夫々に設けられた係合凹部１８に係合させない第１の位置とるものとして配されたアクチュエータ２０が、絶縁ハウジング１１に挿入装着される複数のコンタクト１３によって、第１の位置から移動せしめられて、アクチュエータ２０に設けられた複数の軸状部２２の夫々を複数のコンタクト１３の夫々に設けられた係合凹部１８に係合させる第２の位置をとるものとされる。そして、アクチュエータ２０が第２の位置をとるものとされることにより、アクチュエータ２０が複数のコンタクト１３に係合したもとで複数のコンタクト１３に対して回動せしめられ、それにより、複数のコンタクト１３から離脱する方向へのアクチュエータ２０の変位が防止されることになる機構が構成される。
【００４２】
従って、上述の本発明に係るコネクタ装置の一例によれば、アクチュエータ２０が複数のコンタクト１３に係合したもとで複数のコンタクト１３に対して回動せしめられ、それにより、複数のコンタクト１３から離脱する方向へのアクチュエータ２０の変位が防止されることになる機構を、構成部品点数の増加，絶縁ハウジング１１の寸法の拡大によるコネクタ装置１０の大型化，組立作業における作業工程の増加等をまねくことなく構成することができることになる。
【００４３】
なお、絶縁ハウジング１１に設けられた案内部が、段部２７，２８及び２９により構成される三段の階段状部を成すものとされ、また、アクチュエータ２０に設けられた位置決め部が、当接部２３，２４及び２５により構成される、互いに異なる三つの当接位置を有するものとされて、アクチュエータ２０が、複数の軸状部２２の夫々を複数のコンタクト１３の夫々に設けられた係合凹部１８に係合させない第１の位置をとるとき、当接部２３，２４及び２５が段部２７，２８及び２９に夫々当接する状態とされ、アクチュエータ２０が、複数の軸状部２２の夫々を複数のコンタクト１３の夫々に設けられた係合凹部１８に係合させる第２の位置をとるとき、当接部２３が段部２８に当接して当接部２４が段部２９に当接し、当接部２５が何処にも当接しない状態とされることにより、アクチュエータ２０の第１の位置から第２の位置への移動が円滑かつ確実に行われるとともに、第１の位置及び第２の位置の夫々をとるアクチュエータ２０が、極めて安定した状態におかれることになる。
【産業上の利用可能性】
【００４４】
以上のような本発明に係るコネクタ装置は、複数のコンタクトと、回動操作されるとき複数のコンタクトの夫々における作動部を変位させるアクチュエータとを備えたコネクタ装置であって、アクチュエータが複数のコンタクトに係合したもとで複数のコンタクトに対して回動せしめられ、それにより、複数のコンタクトから離脱する方向へのアクチュエータの変位が防止されることになる機構を、構成部品点数の増加，絶縁ハウジングの寸法の拡大によるコネクタ装置の大型化，組立作業における作業工程の増加等をまねくことなく構成することができるものとして、様々な電子機器等に広く適用され得るものである。
【図面の簡単な説明】
【００４５】
【図１】本発明に係るコネクタ装置の一例を示す斜視図である。
【図２】図１に示される例における両端の間の部分の断面をあらわす断面図である。
【図３】図１に示される例におけるアクチュエータを単体で示す斜視図である。
【図４】図１における仮想線円ＩＶ内を拡大して示す部分拡大図である。
【図５】図１に示される例における端部の断面をあらわす断面図である。
【図６】図１における仮想線円ＶＩ内を拡大して示す部分拡大図である。
【図７】図１に示される例におけるアクチュエータが絶縁ハウジングに対して伏した位置をとる状態を示す斜視図である。
【図８】図１に示される例におけるアクチュエータが絶縁ハウジングに対して伏した位置をとる状態を示す平面図である。
【図９】図１に示される例についての絶縁ハウジングに対する複数のコンタクト及びアクチュエータの組付けの説明に供される断面図である。
【図１０】図１に示される例についての絶縁ハウジングに対する複数のコンタクト及びアクチュエータの組付けの説明に供される断面図である。
【図１１】図１に示される例についての絶縁ハウジングに対する複数のコンタクト及びアクチュエータの組付けの説明に供される断面図である。
【図１２】図１に示される例についての絶縁ハウジングに対する複数のコンタクト及びアクチュエータの組付けの説明に供される断面図である。
【符号の説明】
【００４６】
１０・・・コネクタ装置，  １１・・・絶縁ハウジング，  １２・・・配線板部材差込部，  １３・・・コンタクト，  １４・・・固定部，  １５，１６・・・ビーム部，  １７・・・端子部，  １８・・・係合凹部，  １８ａ・・・係合凹部１８を形成する部分，  １９・・・接触部，  ２０・・・アクチュエータ，  ２１・・・スリット，  ２２・・・軸状部，  ２３，２４，２５・・・当接部，  ２７，２８，２９・・・段部
【図１】
2009064743.tif 000003
【図２】
2009064743.tif 000004
【図３】
2009064743.tif 000005
【図４】
2009064743.tif 000006
【図５】
2009064743.tif 000007
【図６】
2009064743.tif 000008
【図７】
2009064743.tif 000009
【図８】
2009064743.tif 000010
【図９】
2009064743.tif 000011
【図１０】
2009064743.tif 000012
【図１１】
2009064743.tif 000013
【図１２】
2009064743.tif 000014